(57)【特許請求の範囲】
【請求項１】
容器状のランプボディと、前記ランプボディの前面開口部に組み付けられ、ランプボディと協働して灯室を画成するレンズと、前記ランプボディの内側に設けられたリフレクターと、前記リフレクターの前方に設けられた光源と、赤外光透過膜とを備えた自動車用赤外光照射ランプにおいて、
前記赤外光透過膜の外周囲および/または前記赤外光透過膜内に赤外光透過膜非形成領域が設けられたことを特徴とする自動車用赤外光照射ランプ。
【請求項２】
前記リフレクターと前記レンズの間には、透明部材が設けられ、前記透明部材に前記赤外光透過膜が形成されたことを特徴とする請求項１に記載の自動車用赤外光照射ランプ。
【請求項３】
前記レンズに前記赤外光透過膜が形成されたことを特徴とする請求項１に記載の自動車用赤外光照射ランプ。
【発明の詳細な説明】
【０００１】
【発明の属する技術分野】
本発明は、自動車に搭載して、車輌の前方を赤外光で照明する自動車用赤外光照射ランプに係わり、特に、近赤外までの感度を有するＣＣＤカメラと共用する自動車用赤外光照射ランプに関する。
【０００２】
【従来の技術】
例えば、この種のランプは、ランプボディと前面レンズで画成された灯室内に可視光源および放物面リフレクターを配置し、可視光成分を反射し赤外光成分を透過させる赤外光透過膜（以下、単に赤外光透過膜という）をガラスプレートの表面全域に形成した赤外光透過フィルターを、灯室の前面開口部全体を塞ぐように光源と前面レンズ間に配置し、前面レンズに向かう光源光の全てが赤外光透過膜を透過するように構成されており、リフレクターで反射された光源光は、赤外光透過膜を透過する際に可視光成分がカットされ、主に目に見えない赤外光成分だけの光となって前面レンズから前方に出射配光される。
【０００３】
そして、車輌前方の赤外光照射領域を、自動車前部に設けられた近赤外までの感度を有するＣＣＤカメラで撮影し、画像処理装置で処理して、車室内のモニタ画面に映し出す。ドライバーは、車輌前方の視界を映すモニタ画面上で、人やレーンマークや障害物といったものを遠方まで確認できる。
【０００４】
【発明が解決しようとする課題】
しかしながら、前記した従来の赤外光照射ランプでは、赤外光透過フィルター（赤外光透過膜）が７００〜８００ｎｍあたりの長波長側の可視光（赤色光成分）を完全にカットできないため、前面レンズには赤外光とともに赤外光透過フィルター（赤外光透過膜）を透過した一部の可視光（赤色光成分）も導かれる。そして、前面レンズから赤外光とともに一部の可視光（赤色光成分）も出射し、前面レンズが赤く発光（ランプが赤く点灯）しているように見える。このため、自動車の前部に設けた赤外光照射ランプの点灯をテールランプやストップランプの点灯と誤認するおそれがあり、安全上問題であった。
【０００５】
そこで発明者は、光源光の一部を赤外光透過フィルター（赤外光透過膜）を透過させることなく前面レンズの周縁部に導いて、赤色に発光する前面レンズの周縁部を白色に発光させると、赤色発光が薄められて目立たなくなるのではと考えて、実験を重ねた結果、これが非常に有効であることが確認されたので、本発明を提案するに至ったものである。
【０００６】
本発明は、前記従来技術の問題点および前記した発明者の知見に基づいてなされたもので、その目的は、レンズの周縁部を白色に発光させたり、レンズ中央部付近から白色光を僅かに出射させることで、前面レンズの赤色発光が相対的に薄められて、ランプの点灯をテールランプやストップランプと誤認することがない赤外光照射ランプを提供することにある。
【０００７】
【課題を解決するための手段および作用】
前記目的を達成するために、請求項１に係る赤外光照射ランプにおいては、容器状のランプボディと、前記ランプボディの前面開口部に組み付けられ、ランプボディと協働して灯室を画成するレンズと、前記ランプボディの内側に設けられたリフレクターと、前記リフレクターの前方に設けられた光源と、赤外光透過膜とを備えた自動車用赤外光照射ランプにおいて、
前記赤外光透過膜の外周囲および／または前記赤外光透過膜内に赤外光透過膜非形成領域を設けるように構成した。
（作用）後方のリフレクターで反射された光源光は、リフレクター前方の赤外光透過膜を透過することで可視光成分がカットされ、主に目に見えない赤外光成分となってレンズから出射する。しかし、レンズからの出射光中には、赤外光透過膜でカットしきれなかった可視光成分（赤色光成分）も含まれており、このため、ランプ点灯時のレンズが赤く発光する。しかるに、赤外光透過膜の外周囲に赤外光透過膜非形成領域が設けられた構造では、レンズの周縁部には、赤外光透過膜非形成領域を介して、赤外光透過膜を透過しない光源光が導かれるため、レンズの周縁部が白色に発光して、レンズの赤色の発光色を薄めるべく作用する。また、赤外光透過膜内に赤外光透過膜非形成領域が設けられた構造では、赤外光透過膜非形成領域を介して導かれた赤外光透過膜を透過しない光源光がレンズ中央部付近から僅かに出射して、レンズの赤色の発光色を薄めるべく作用する。即ち、レンズに向かう光源光全てが赤外光透過膜を透過するように構成された従来構造の場合と、レンズの赤色の発光量自体はほとんど変わらないが、レンズの赤色に発光する領域の周縁部が白色に発光したり、レンズ中央部付近から僅かに白色光が出射することで、相対的に赤色発光が薄められる。
【０００８】
そして、前記赤外光照射ランプとしては、放物面リフレクターで光源光を反射してほぼ平行光にし前面レンズの配光制御用ステップで拡散配光するか、連続する配光制御用の複数の分割反射面を備えたリフレクターで光源光を拡散反射配光する、反射式照明光学系で構成された形態と、光源光を楕円体形状のリフレクターで反射した後、投射レンズでほぼ平行光にして投射配光する投射式照明光学系で構成された形態とがあり、いずれの形態においても適用できる。
【０００９】
請求項２においては、請求項１に記載の赤外光照射ランプにおいて、前記リフレクターと前記レンズの間に透明部材を設け、前記透明部材に前記赤外光透過膜を形成するように構成した。
（作用）リフレクターとレンズ間に赤外光透過フィルター（赤外光透過膜を形成した透明部材）を配置した簡単な構成で、例えば赤外光透過フィルター（赤外光透過膜）の可視光カット性能が高温のため低下したような場合には、ランプを構成する主要部品を交換することなく、赤外光透過フィルターだけを交換すればよい。
【００１０】
請求項３においては、請求項１に記載の赤外光照射ランプにおいて、前記レンズに前記赤外光透過膜を形成するように構成した。
（作用）レンズに直接赤外光透過膜を形成したので、赤外光透過膜を形成するための透明部材が不要で、それだけランプ構造が簡潔である。また、赤外光透過フィルター（赤外光透過膜を形成した透明部材）を設ける場合に比べて、灯室内に熱がこもりにくく、赤外光透過膜の熱劣化が抑制される。
【００１１】
【発明の実施の形態】
次に、本発明の実施の形態を実施例に基づいて説明する。
【００１２】
図１および図２は、例えば車室内上部に設けられて車輌前方の視界を撮影する赤外光対応ＣＣＤカメラとともに用いられるランプであって、夜間前方視界検出システムに適用するに好適な赤外光照射ランプの実施例を示し、図１は本発明の第１の実施例である赤外光照射ランプの縦断面図、図２は要部である赤外光透過フィルターの背面図である。
【００１３】
夜間前方視界検出システムは、車輌前部に設けられて車輌前方に赤外光を照射する赤外光照射ランプ１０Ａと、例えば車室内上部に設けられて車輌前方の視界を撮影する赤外光対応ＣＣＤカメラ（図示せず）と、同ＣＣＤカメラの撮影した画像を解析する画像処理解析装置と、画像処理解析装置で解析したデータを表示するヘッドアップディスプレイ（ＨＵＤ）等とから主として構成されている。
【００１４】
画像処理解析装置には、ＣＣＤカメラが撮像した目に見えない遠方の歩行者や障害物そしてレーンマークなどの映像が送られるが、その映像からエッジ処理やパターン認識を行うことで、歩行者や障害物そしてレーンマークなどを容易に認識することができる。そして、歩行者や障害物そしてレーンマークなどの映像は、ヘッドアップディスプレイ（ＨＵＤ）でドライバーに示したり、形状認識で路上物体（歩行者や障害物やレーンマークなど）の特徴を判断し、音声でドライバーに知らせることができるように構成されている。
【００１５】
赤外光照射ランプ１０Ａは、図１に示されるように、容器状の合成樹脂製ランプボディ１２と、ランプボディ１２の前面開口部に組み付けられ、ランプボディ１２と協働して灯室Ｓを画成する前面レンズ１４と、ランプボディ１２の内周面に一体に形成された放物面形状のリフレクター１６と、ランプボディ１２の後頂部に設けられたバルブ挿着孔１２ａに挿着された光源であるハロゲンバルブ１８と、リフレクター１６の前方を横切って延在するように配置された赤外光透過フィルター２０を備えて構成されている。なお、前面レンズ１４の裏面側には、光源光を所定の方向に拡散配光する配光制御用のシリンドリカルステップ１５が設けられている。
【００１６】
赤外光透過フィルター２０は、図２に示すように、透明ガラスプレート２１の表面に赤外光透過膜２２を形成した構造で、赤外光透過フィルター２０（ガラスプレート２１）の周縁部には、所定幅のリング状の赤外光透過膜非形成領域２４Ａが設けられている。即ち、ガラスプレート２１裏面側の表面には、その周縁部の所定幅の領域を除いて赤外光透過膜２２が形成されている。
【００１７】
赤外光透過フィルター２０は、図１に示すように、その周縁部がランプボディ１２と前面レンズ１４間の係合部に形成された溝１３に係合して、灯室Ｓ内に位置決め固定されている。即ち、前面レンズ１４をランプボディ１２に組み付けると同時に、赤外光透過フィルター２０を挟み込む形態に固定でき、赤外光透過フィルター２０を交換する際に便利である。
【００１８】
そして、点灯時の同ランプでは、リフレクター１６で反射された光源光が、図１符号Ｌ１に示すように、赤外光透過フィルター２０（の赤外光透過膜２２を）を透過することで可視光成分がカットされ、主に目に見えない赤外光成分となって前面レンズ１４から出射する。しかし、前面レンズ１４からの出射光中には、赤外光透過膜２２でカットしきれなかった可視光成分（赤色光成分）も含まれており、このため、ランプ点灯時の前面レンズ１４が赤く発光する。しかるに、前面レンズ１４の周縁部には、図１符号Ｌ１’に示すように、赤外光透過膜非形成領域２４Ａを介して、赤外光透過膜２２を透過しない光源光が導かれるため、前面レンズ１４の周縁部１４ａが白色に発光して、前面レンズ１４の赤色の発光色を薄めるべく作用する。即ち、前面レンズ１４に向かう光源光全てが赤外光透過膜２２を透過するように構成された従来構造の場合と、前面レンズ１４の赤色の発光量自体はほとんど変わらないが、前面レンズ１４の赤色に発光する領域の周縁部１４ａが白色に発光することで、相対的に赤色が薄められる。
【００１９】
図３は、本発明の第２の実施例である赤外光照射ランプの縦断面図である。
【００２０】
前記した第１の実施例では、ランプボディ１２の前面開口部に灯室Ｓを塞ぐように赤外光透過フィルター２０が設けられるとともに、赤外光透過膜２２がガラスプレート２１の周縁部を余して形成されていたが、この実施例に示す赤外光照射ランプ１０Ｂでは、ガラスプレート２１の裏側全域に赤外光透過膜２２を形成した赤外光透過フィルター２０Ａが、灯室Ｓの内周面との間に所定の隙間（赤外光透過膜非形成領域２４Ｂ）ができるように配置固定されている。即ち、赤外光透過フィルター２０Ａの周方向複数個所には、係合突起２３が設けられており、ランプボディ１２と前面レンズ１４間の係合部に形成された溝１３に赤外光透過フィルター２０Ａ側の係合突起２３が係合することで、赤外光透過フィルター２０Ａが灯室Ｓ内に位置決め固定されている。
【００２１】
そして、点灯時の同ランプでは、リフレクター１６で反射された光源光が、図２符号Ｌ２に示すように、赤外光透過フィルター２０Ａ（の赤外光透過膜２２を）を透過することで可視光成分がカットされ、主に目に見えない赤外光成分となって前面レンズ１４から出射する。しかし、前面レンズ１４からの出射光中には、赤外光透過膜２２でカットしきれなかった可視光成分（赤色光成分）も含まれており、このため、ランプ点灯時の前面レンズ１４が赤く発光する。しかるに、前面レンズ１４の周縁部には、図２符号Ｌ２’に示すように、隙間（赤外光透過膜非形成領域２４Ｂ）を介して、赤外光透過膜２２を透過しない光源光が導かれ、前面レンズ１４の周縁部１４ａが白色に発光して、前面レンズ１４の赤色の発光色が薄められて目立たない。
【００２２】
また、赤外光透過フィルター２０Ａによって前後に仕切られた灯室Ｓ間が、赤外光透過フィルター２０Ａの周縁部と灯室内壁面間の隙間によって連通し、この隙間を介して前後の灯室にまたがる空気対流が生成されて、灯室Ｓに熱がこもることを抑制する。
【００２３】
図４は、本発明の第３の実施例である赤外光照射ランプの縦断面図である。
【００２４】
この第３の実施例に示す赤外光照射ランプ１０Ｃでは、リフレクター１６Ａが配光制御用の連続する複数の分割反射面１７を有し、リフレクター１６Ａの複数の分割反射面１７での拡散反射光によって所定の配光を形成する反射式照明光学系を備え、前面レンズ１４Ａは、前記第１の実施例に示すような配光制御用のステップ１５を形成しない素通し面に形成されている。
【００２５】
また、素通しの前面レンズ１４Ａの意匠面に対応する裏面側に赤外光透過膜２２が直接形成されて、前面レンズ１４Ａの周縁部であるレンズ側壁の内側には、所定幅の帯状の赤外光透過膜非形成領域２４Ｃが設けられている。
【００２６】
そして、点灯時の同ランプでは、リフレクター１６Ａで反射された光源光が、図４符号Ｌ３に示すように、赤外光透過膜２２を透過することで可視光成分がカットされ、主に目に見えない赤外光成分となって前面レンズ１４から出射する。しかし、この前面レンズ１４Ａからの出射光中には、赤外光透過膜でカットしきれなかった可視光成分（赤色光成分）も含まれているため、ランプ点灯時の前面レンズ１４が赤く発光する。しかるに、前面レンズ１４Ａの周縁部には、図４符号Ｌ３’に示すように、赤外光透過膜非形成領域２４Ｃを介して、赤外光透過膜２２透過しない光源光が導かれるため、前面レンズ１４Ａの周縁部１４ａが白色に発光して、前面レンズ１４Ａの赤色の発光色が薄められて目立たない。
【００２７】
図５は、本発明の第４の実施例である赤外光照射ランプの縦断面図である。
【００２８】
前記した第１〜３の実施例では、光源光を放物面リフレクター１６で反射してほぼ平行にした光を前面レンズ１４の配光制御ステップで拡散配光するか、連続する複数の分割反射面１７を有するリフレクター１６Ａで拡散反射配光する、反射式照明光学系で構成されていたが、この第４の実施例に示す赤外光照射ランプ１０Ｄでは、楕円体形状のリフレクター１６Ｂで反射した光源光を投射レンズ４０でほぼ平行光にして投射配光する投射式照明光学系を備えて構成されている。
【００２９】
即ち、ランプボディ１２である金属製の楕円体形状のリフレクター１６Ｂの第１焦点ｆ１にハロゲンバルブ１８のフィラメントが位置するように配置され、リフレクター１６Ｂには、ランプボディ１２である円筒形状の金属製レンズホルダー３０が固定され、レンズホルダー３０の前面開口部には、横断面Ｌ字型の円環状レンズ保持枠３６によって投射レンズ４０が固定保持されている。符号３２は、レンズホルダー３０の前面開口部の内周縁部に周設されて、レンズ４０のフランジ部４１を担持するための段差部である。そして、リフレクター１６Ｂで反射した光源光は、リフレクター１６Ｂの第２焦点ｆ２に集光した後、前方の投射レンズ４０によって、符号Ｌ４に示すように、リフレクター１６Ｂの光軸とほぼ平行な光となって前方に投射配光される。
【００３０】
また、レンズホルダー３０の前面開口部に形成されているレンズ担持用の段差部３２の内周縁部には、フィルター担持用のリング状の段差部３２Ａが形成されている。そして、この段差部３２Ａに収容された赤外光透過フィルター２０Ｂは、レンズ保持枠３６によって、投射レンズ４０と一体にレンズホルダー３０の前面開口部に固定保持される。符号２６は、赤外光透過フィルター２０Ｂの周縁部に周設されたゴム材で、赤外光透過フィルター２０Ｂと投射レンズ４０は、このゴム材２６の厚さ相当だけ離間配置されている。
【００３１】
赤外光透過フィルター２０Ｂは、前記第１の実施例で説明した赤外光透過フィルター２０と同様、透明ガラスプレート２１裏側の周縁部を除いた表面に赤外光透過膜２２を形成した構造で、赤外光透過フィルター２０Ｂ（ガラスプレート２１）の周縁部には、所定幅のリング状の赤外光透過膜非形成領域２４Ｄが設けられている。
【００３２】
そして、点灯時の同ランプでは、リフレクター１６Ｂで反射された光源光が、図５符号Ｌ４に示すように、赤外光透過フィルター２０Ｂ（の赤外光透過膜２２を）を透過することで可視光成分がカットされ、主に目に見えない赤外光成分となって投射レンズ４０から出射する。しかし、投射レンズ４０からの出射光中には、赤外光透過膜でカットしきれなかった可視光成分（赤色光成分）も含まれており、このため、ランプ点灯時の投射レンズ４０が赤く発光する。しかるに、投射レンズ４０の周縁部には、図５符号Ｌ４’に示すように、赤外光透過膜非形成領域２４Ｄを介して、赤外光透過膜２２を透過しない光源光が導かれるため、投射レンズの周縁部４０ａが白色に発光して、投射レンズ４０の赤色の発光色が薄められて、目立たない。
【００３３】
また、フィルター２０Ｂは、光が集光して高温度となる第２焦点位置ｆ２から十分に離間した位置に設けられて、赤外光透過膜２２が熱劣化しにくい。
【００３４】
図６は、本発明の第５の実施例である赤外光照射ランプの要部斜視図である。
【００３５】
前記した第４実施例（図５参照）では、周縁部に赤外光透過膜非形成領域２４Ｄが設けられた赤外光透過フィルター２０Ｂが灯室Ｓ１を塞ぐように配置されていた、即ち、レンズホルダー３０の内周面に赤外光透過フィルター２０Ｂの周縁部が当接するように設けられていたが、この第５の実施例に示す赤外光照射ランプ１０Ｅでは、ガラスプレート２１の裏面側全域に赤外光透過膜２２を形成した赤外光透過フィルター２０Ｃが、その周縁部をレンズホルダー３０の内周面から僅かに離間させて配置されて、赤外光透過フィルター２０Ｃの外周囲に赤外光透過膜非形成領域２４Ｅが設けられている。
【００３６】
即ち、レンズホルダー３０の前面開口部に形成されているレンズ担持用の段差部３２の周方向等分３個所にフィルター担持用の段差部付き内方突起３２Ｂが形成されている。そして、この内方突起３２Ｂに赤外光透過フィルター２０Ｃが収容されることで、赤外光透過フィルター２０Ｃの外周囲に隙間（赤外光透過膜非形成領域２４Ｅ）が形成される。そして、前記第４の実施例と同様、レンズ保持枠３６によって、投射レンズ４０と赤外光透過フィルター２０Ｃは一体にレンズホルダー３０の前面開口部に固定保持される。符号２７は、内方突起３２Ｂに対応して、赤外光透過フィルター２０Ｂの周縁部に設けられたゴム材で、赤外光透過フィルター２０Ｃと投射レンズ４０は、このゴム材２７の厚さ相当だけ離間配置されている。
【００３７】
そして、点灯時の同ランプでは、リフレクター１６Ｂで反射された光源光が、赤外光透過フィルター２０Ｃ（の赤外光透過膜２２を）を透過することで可視光成分がカットされ、主に目に見えない赤外光成分となって投射レンズ４０から出射する。しかし、投射レンズ４０からの出射光中には、赤外光透過膜でカットしきれなかった可視光成分（赤色光成分）も含まれており、このため、ランプ点灯時の投射レンズ４０が赤く発光する。しかるに、投射レンズ４０の周縁部には、レンズホルダー３０の内周面と赤外光透過フィルター２０Ｃの周縁部間のリング状の隙間（赤外光透過膜非形成領域２４Ｅ）を介して、赤外光透過膜２２を透過しない光源光が導かれるため、投射レンズの周縁部４０ａが白色に発光して、投射レンズ４０の赤色の発光色が薄められて目立たない。
【００３８】
また、フィルター２０Ｃとレンズホルダー３０間の隙間２４Ｅを介して、フィルター２０Ｃで仕切られた前後の灯室が連通し、この隙間を介して前後の灯室間に空気対流が生成されて、灯室に熱がこもらず、赤外光透過膜２２の熱劣化が抑制されている。
【００３９】
図７は、本発明の第６の実施例である赤外光照射ランプの縦断面図である。
【００４０】
この実施例に示す赤外光照射ランプ１０Ｆは、投射レンズ４０の裏面側に赤外光透過膜２２が直接形成されて、投射レンズ４０裏面の周縁部には、所定幅の帯状の赤外光透過膜非形成領域２４Ｆが設けられている。
【００４１】
そして、点灯時の同ランプでは、リフレクター１６Ｂで反射された光源光が、図７号Ｌ６に示すように、投射レンズ４０裏面側の赤外光透過膜２２を透過することで可視光成分がカットされ、主に目に見えない赤外光成分となって投射レンズ４０から出射する。しかし、投射レンズ４０からの出射光中には、赤外光透過膜２２でカットしきれなかった可視光成分（赤色光成分）も含まれており、このため、ランプ点灯時の投射レンズ４０が赤く発光する。しかるに、投射レンズ４０の周縁部には、図７符号Ｌ６’に示すように、赤外光透過膜非形成領域２４Ｆを介して、赤外光透過膜２２を透過しない光源光が導かれるため、投射レンズの周縁部４０ａが白色に発光して、投射レンズ４０の赤色の発光色が薄められて目立たない。
【００４２】
図８および９は、本発明の第７の実施例を示し、図８は同赤外光照射ランプの縦断面図、図９は同ランプの要部の分解斜視図である。
【００４３】
この実施例に示す赤外光照射ランプ１０Ｇでは、投射レンズ４０の裏面におけるフランジ部４１以外の領域に赤外光透過膜２２が形成されている。即ち、投射レンズ４０の膨出レンズ部４２に対応する裏面に赤外光透過膜２２が形成されて、投射レンズ４０のフランジ部４１には赤外光透過膜非形成領域２４Ｇが設けられている。
【００４４】
一方、レンズホルダー３０の前面開口部には、その内周縁部が周方向等分３個所がテーパ形状に切り欠かれて、投射レンズ４０（のフランジ部４１）を担持する３個の段差部３２Ｃが設けられており、これによって、フランジ部４１には赤外光透過膜２２を透過しない光源光が導かれる。符号３３は、テーパ面を示す。
【００４５】
また、レンズホルダー３０の前縁部に固定されて、投射レンズ４０のフランジ部４１を固定保持するレンズ保持枠３６Ａは、その内周縁部が周方向等分３個所が円弧状に切り欠かれて、レンズホルダー３０の段差部３２Ａに対応する３個の爪３７が設けられており、これによって、フランジ部４１に導かれた光源光は、レンズ保持枠３６Ａに遮光されることなく、前方に出射する。符号３８は、レンズ保持枠３６Ａ内周縁部の切り欠きを示す。
【００４６】
そして、点灯時の同ランプでは、リフレクター１６Ｂで反射された光源光が、図８符号Ｌ７に示すように、赤外光透過膜２２を透過することで可視光成分がカットされ、主に目に見えない赤外光成分となって投射レンズ４０から出射する。しかし、投射レンズ４０からの出射光中には、赤外光透過膜２２でカットしきれなかった可視光成分（赤色光成分）も含まれており、このため、ランプ点灯時の投射レンズ４０が赤く発光する。しかるに、投射レンズ４０のフランジ部４１からは、図８符号Ｌ７’に示すように、赤外光透過膜非形成領域２４Ｇを透過し、段差部３２Ｃおよびレンズ保持枠３６Ａ（の爪３７）で遮光されなかった光源光（赤外光透過膜２２を透過しない光源光）が出射するため、投射レンズ４０の周縁部４１が白色に発光して、投射レンズ４０の赤色の発光色が薄められて目立たない。
【００４７】
なお、前記実施例では、赤外光透過膜がガラスプレート２１や前面レンズ１４，１４Ａや投射レンズ４０の裏面側に形成されているが、赤外光透過膜を前面側にのみ、又は前面および裏面の双方に形成するようにしてもよい。
【００４８】
また、前記実施例では、赤外光透過膜の外周囲に赤外光透過膜非形成領域を形成し、レンズの周縁部を白色に発光させることで、ランプの赤色発光を薄めるように構成されているが、赤外光透過膜内に赤外光透過膜非形成領域である微小透孔を分散させて設け、レンズの中央部付近から僅かな白色光を出射させることで、ランプの赤色発光を薄めるように構成してもよい。さらに、赤外光透過膜の外周囲に赤外光透過膜非形成領域を形成するとともに、赤外光透過膜内に赤外光透過膜非形成領域である微小透孔を分散させて設けることで、ランプの赤色発光を薄めるように構成してもよい。
【００４９】
【発明の効果】
以上の説明から明らかなように、請求項１によれば、ランプ点灯時の赤色の発光がレンズ周縁部の白色の発光やレンズ中央部付近から僅かに出射する白色光によって薄められて、従来のようにランプが赤く点灯して見えることがないので、ドライバーおよび歩行者が赤外光照射ランプの点灯をテールランプやストップランプの点灯と誤認するおそれがなく、それだけ走行上の安全が確保される。
【００５０】
また、赤外光透過膜の外周囲に赤外光透過膜非形成領域を形成する場合には、赤外光透過膜非形成領域に対応する部分をマスキングして塗装や蒸着により赤外光透過膜を形成すればよいので、赤外光透過膜内に赤外光透過膜非形成領域を形成する場合に比べて、赤外光透過膜非形成領域の形成が容易である。
【００５１】
請求項２によれば、赤外光透過膜を形成した透明部材（赤外光透過フィルター）を交換したい場合には、他のランプ構成部品を交換することなく赤外光透過フィルターだけを交換すればよいので、コスト的にも安価である。
【００５２】
また、透明部材は、レンズと比べて小型であるため、赤外光透過膜を形成する際の取り数（蒸着炉の中に入る被蒸着部材である透明部材の個数）が増えて、赤外光透過膜の形成にかかるコストを削減できる。
【００５３】
請求項３によれば、レンズに直接赤外光透過膜を形成したので、透明部材に赤外光透過膜を形成する場合に比べて、ランプ構造が複雑にならず、しかも灯室内に熱がこもらないので、赤外光透過膜の熱劣化が抑制されて、長期にわたり安定した赤外光量が保証される。
【００５４】
【図面の簡単な説明】
【図１】本発明の第１の実施例である赤外光照射ランプの縦断面図である。
【図２】同ランプの要部である赤外光透過フィルターの背面図である。
【図３】本発明の第２の実施例である赤外光照射ランプの縦断面図である。
【図４】本発明の第３の実施例である赤外光照射ランプの縦断面図である。
【図５】本発明の第４の実施例である赤外光照射ランプの縦断面図である
【図６】本発明の第５の実施例である赤外光照射ランプの要部斜視図である。
【図７】本発明の第６の実施例である赤外光照射ランプの縦断面図である。
【図８】本発明の第７の実施例である赤外光照射ランプの縦断面図である。
【図９】同ランプの要部の分解斜視図である。
【符号の説明】
１０Ａ〜１０Ｇ  赤外光照射ランプ
１２  ランプボディ
１２ａ  バルブ挿着孔
１３  係合溝
１４、１４Ａ  前面レンズ
１４ａ  前面レンズの周縁部
１５  配光制御ステップであるシリンドリカルステップ
１６  放物面リフレクター
１６Ａ  分割反射面リフレクター
１６Ｃ  楕円体形状のリフレクター
１７  連続する複数の分割反射面
１８  光源であるハロゲンバルブ
２０，２０Ａ，２０Ｂ，２０Ｃ  赤外光透過フィルター
２１  ガラスプレート
２２  赤外光透過膜
２４Ａ〜２４Ｇ  赤外光透過膜非形成領域
３０  レンズホルダー
３２，３２Ｃ  レンズを担持する段差部
３２Ａ，３２Ｂ  フィルターを担持する段差部
３６，３６Ａ  レンズ保持枠
４０  投射レンズ
４０ａ  投射レンズの周縁部
４１  投射レンズのフランジ部
Ｓ，Ｓ１  灯室
【図１】
0003920052.tif 000002
【図２】
0003920052.tif 000003
【図３】
0003920052.tif 000004
【図４】
0003920052.tif 000005
【図５】
0003920052.tif 000006
【図６】
0003920052.tif 000007
【図７】
0003920052.tif 000008
【図８】
0003920052.tif 000009
【図９】
0003920052.tif 000010